(57)【特許請求の範囲】
【請求項１】
放電ランプを備え、前面がレンズで覆われたランプハウジングを有する照明装置であって、ランプハウジングに開口部を形成し、開口部に係合するハウジング係合体を形成し、ハウジング係合体に壁部を一体的に設け、基板にランプ点灯用回路部及び入出力用のコネクタ部を実装してこれら基板も含めてランプ点灯用回路部及びコネクタ部の外周部が壁部にて囲繞されるように壁部内に挿入され、基板にケース底面材を嵌め、壁部の上端部にケース上面材を被せ、ケース上面材に形成した開口に出力コネクタを突出させて点灯用ブロックを構成し、ランプハウジングの開口部にハウジング係合体を係合して点灯用ブロックをランプハウジングに取外し自在に取付けて成ることを特徴とする照明装置。
【発明の詳細な説明】
【０００１】
【発明の属する技術分野】
本発明は、主として、車両用前照灯のような照明装置に関し、詳しくは、放電ランプを点灯させる点灯用ブロックをランプハウジングに容易に組立て、かつ、ランプ点灯用回路部の回路部品の取り替えやランプ交換も容易にしようとする技術に係るものである。
【０００２】
【従来の技術】
近年、車両用前照灯の放電ランプは、例えば、メタハライドランプが使用されて商品化されている。ところで、放電ランプを点灯させるには放電ランプに高電圧を与えるランプ点灯用回路が必要である。
【０００３】
そこで、従来、放電ランプ１を備え、前面がレンズ２で覆われたランプハウジング３を有する照明装置においては、図８に示す特許第２５４２９６２号のように、ランプ点灯用回路部５ａを有底キャップ体１０ａに取付けた点灯用ブロック８ａをランプハウジング３ａの後端部に別途取付けていた。
【０００４】
【発明が解決しようとする課題】
ところで、このような構成において、ランプハウジング３と点灯用ブロック８ａを取り付けた有底キャップ体１０ａとは、構造的に有機的な接続がなされておらず、組立て及び取外しに手数を要し、ランプ点灯用回路部５ａの回路部品の取替えが面倒であり、又、放電ランプの取替えも手数を要する等という問題があった。
【０００５】
本発明はこのような問題に鑑みてなされたものであり、ランプハウジングと点灯用ブロックを有機的に接続することで、放電ランプを点灯させる点灯用ブロックをランプハウジングに容易に組立て、かつ、ランプ点灯用回路部の回路部品の取り替えやランプ交換も容易におこなえる照明装置を提供することを課題とするものである。
【０００６】
【課題を解決するための手段】
請求項１においては、放電ランプ１を備え、前面がレンズ２で覆われたランプハウジング３を有する照明装置であって、ランプハウジング３に開口部４を形成し、開口部４に係合するハウジング係合体７を形成し、ハウジング係合体７に壁部９を一体的に設け、基板１６にランプ点灯用回路部５及び入出力用のコネクタ部６を実装してこれら基板１６も含めてランプ点灯用回路部５及びコネクタ部６の外周部が壁部６にて囲繞されるように壁部９内に挿入され、基板１６にケース底面材２１を嵌め、壁部９の上端部にケース上面材２２を被せ、ケース上面材２２に形成した開口２３に出力コネクタ１９を突出させて点灯用ブロック８を構成し、ランプハウジング３の開口部４にハウジング係合体７を係合して点灯用ブロック８をランプハウジング３に取外し自在に取付けて成ることを特徴とするものである。このような構成によれば、点灯用ブロック８のハウジング係合体７をランプハウジング３の開口部４に係合することで、ランプハウジング３と点灯用ブロック８とを有機的に結合して、点灯用ブロック８の取付けが容易にかつ確実におこなうことができ、又、ハウジング係合体７をランプハウジング３の開口部４から外すことで、点灯用ブロック８を容易に外すことができ、点灯用ブロック８におけるランプ点灯用回路部５の回路部品等の交換を容易におこなうことができ、更に、点灯用ブロック８を外したランプハウジング３の開口部４より放電ランプ１の取り替えも可能となるものである。
【０００７】
更に、請求項１においては、ランプ点灯用回路部５を壁部９にて覆うことで、ランプ点灯用回路部５を覆って保護するとともに、必要に応じて、壁部９の材質の選定にてシールド機能を付与してノイズを遮蔽することもでき、更に、ハウジング係合体７に壁部９を一体化させていることで、一層、組立て性を高めることができ、特に、ハウジング係合体７側にランプ点灯用回路部５を覆う壁部９を一体的に設けていることから、壁部９にてランプ点灯用回路部５を覆うのであり、例えば、ランプ点灯用回路部５をランプハウジング３の外側に取付けることができ、ランプ点灯用回路部５の回路部品等の交換が、一層、容易になる。
【０００８】
【発明の実施の形態】
以下、本発明の実施の形態を説明する。図１は概略断面図である。図２はランプ点灯回路部のブロック図である。図３は分解斜視図である。
【０００９】
本発明の照明装置Ａは、例えば、車両用前照灯であり、車体に取付けられるランプハウジング３は前面が開口されその前面開口をレンズ２にて覆っている。ランプハウジング３の内部にはリフレクター１１が適宜の手段にて傾倒可能に固定されている。リフレクター１１の後部中央には取付孔が形成されている。放電ランプ１はメタルハロイド放電ランプであり、ランプホルダー１２に放電ランプ１が保持されている。放電ランプ１をレフレクター１１の取付孔に挿通してランプホルダー１２をレフレクター１１に取付ける。イグナイタ回路１３やインバータ回路１４等のランプ点灯用回路部５から放電ランプ１にハーネス１５を介して出力されて放電ランプ１を点灯することができるようにしている。
【００１０】
ランプ点灯用回路部５は点灯用ブロック８に交換可能に設けられ、点灯用ブロック８がランプハウジング３に容易にかつ確実に取付け及び取外し自在に取付けている。以下、かかる構成を詳述する。
【００１１】
図１及び図３に示すように、ランプハウジング３の後端部に開口部４を形成している。点灯用ブロック８にはランプハウジング３の開口部４に係合するハウジング係合部７が形成されている。本実施の形態においては、開口部４及びハウジング係合部７は円形に形成されている。
【００１２】
点灯用ブロック８における基板１６に回路部品１７及び入力コネクタ１８、出力コネクタ１９が実装されている。ハウジング係合部７には壁部９が一体的に形成されている。壁部９は四壁部で形成されて対向する壁部に切溝２０を形成している。基板１６にケース底面材２１を嵌め、入出力コネクタ１８、１９を壁部９の切溝２０に挿入し、壁部９の上端にケース上面材２２を被せている。ケース上面材２２には開口２３を形成して出力コネクタ１９を突出できるようにしている。ところで、ハウジング係合体７及びこれに一体化されている壁部９は、例えば、アルミダイキャスト製、板金製或いは導電性を備えた合成樹脂製のものが考えられるが、他の材質のものでもよい。又、ケース底面材２１、ケース上面材２２の材質も同様である。
【００１３】
ケース上面材２２、ハウジング係合体７及びケース底面材２１は、例えば、ビスにて、或いは、振動溶着にて電気的、機械的に連結されるものである。そして、出力コネクタ１９がハーネス１５を介して放電ランプ１側に接続され、又、入力コネクタ１８に電源ハーネスが接続される。
【００１４】
このように、ランプハウジング３に開口部４を形成し、ランプ点灯用回路部５及び入出力用のコネクタ部６を備えるとともにハウジング係合体７を形成して点灯用ブロック８を構成し、ランプハウジング３の開口部４にハウジング係合体７を係合して点灯用ブロック８をランプハウジング３にビスによって取外し自在に取付けているのであり、点灯用ブロック８のハウジング係合体７をランプハウジング３の開口部４に係合することで、ランプハウジング３と点灯用ブロック８とを有機的に結合して、点灯用ブロック８の取付けが容易にかつ確実におこなうことができ、又、ハウジング係合体７をランプハウジング３の開口部４から外すことで、点灯用ブロック８を容易に外すことができ、点灯用ブロック８におけるランプ点灯用回路部５の回路部品等の交換を容易におこなうことができ、更に、点灯用ブロック８を外したランプハウジング３の開口部４より放電ランプ１の取り替えも可能となるのである。
【００１５】
更に、本実施の形態においては、ハウジング係合体７に点灯用ブロック８を覆う壁部９を一体的に設けていることから、点灯用ブロック８を壁部９にて覆うことで、ランプ点灯用回路部５を覆って保護するとともに、必要に応じて、壁部９の材質の選定にて放射ノイズのシールド機能を付与することができ、更に、ハウジング係合体７に壁部９を一体化させていることで、一層、組立て性を高めることができ、特に、ハウジング係合体７側に点灯用ブロック８を覆う壁部９を一体的に設けていることから、壁部９にてランプ点灯用回路部５を覆うのであり、例えば、ランプ点灯用回路部５をランプハウジング３の外側に取付けることができ、図１の実施の形態のようにランプ点灯用回路部５の回路部品等の交換が、一層、容易になるものである。
【００１６】
図４は参考例を示し、但し、本参考例の基本構成は上記実施の形態と共通であり、共通する部分には同一の符号を付して説明は省略する。
【００１７】
本参考例においては、前方側が広い扇形になったランプハウジング３に開口部４を四角形に形成している。点灯用ブロック８は、例えば、四角形のハウジング係合体７に基板１６を保持しているケース底面材２１を連結して構成したものであり、本参考例においては、ランプ点灯用回路部５を覆うための壁部９はランプハウジング３の筐体にて兼用するようにしたものである。
【００１８】
このように、ランプハウジング３側にランプ点灯用回路部５を覆う手段を形成していて、点灯用ブロック８のランプ点灯用回路部５の回路部品１７…をランプハウジング３によって覆うことで充分に保護することができ、かつ、点灯用ブロック８の構成を簡素化するのであり、更に、点灯用ブロック８の組み込みを、一層、容易におこなえるものである。
【００１９】
図５は他の参考例を示し、但し、本参考例の基本構成は上記実施の形態及び参考例と共通であり、共通する部分には同一の符号を付して説明は省略する。
【００２０】
本参考例においては、点灯用ブロック８は、例えば、四角形のハウジング係合体７に基板１６を保持しているケース底面材２１を嵌合して取付け、ケース底面材２１に壁部９を連結し、このようにケース底面材２１及び壁部９にて形成した箱体２４に電気的絶縁物２５を充填し、その周部に金属蒸着膜を形成して、放射ノイズを防止するようにしたものである。ところで、図５（ｂ）の参考例の点灯用ブロック８を図４のランプハウジング３の開口部４に取付けるものである。
【００２１】
図６は他の実施の形態を示していて、但し、本実施の形態の基本構成は上記実施の形態と共通であり、共通する部分には同一の符号を付して説明は省略する。
【００２２】
本実施の形態においては、ケース上面材２２をハウジング係合体７に一体化したものである。
【００２３】
本実施の形態においては、ケース上面材２２をハウジング係合体７に一体化することで、ケース上面材２２とハウジング係合体７との間のシール対策を省くことができるものである。
【００２４】
ところで、基板１６とケース底面材２１とを兼用させたものに電路を形成して回路部品１７や入出力コネクタ１８、１９を実装するようにしてもよく、このような構成によれば、部品点数を削減できるものである。
【００２５】
図７は更に他の実施の形態を示し、但し、本実施の形態の基本構成は上記実施の形態と共通であり、共通する部分には同一の符号を付して説明は省略する。
【００２６】
本実施の形態においては、ケース上面材２２、ハウジング係合体７、壁部９及び入出力コネクタ１８、１９を支持する支持片２６、ケース底面材２１を合成樹脂製にして、これらを交叉斜線域イにおいて振動溶着してシールを図るとともに連結するようにしたものである。
【００２７】
【発明の効果】
請求項１においては、放電ランプを備え、前面がレンズで覆われたランプハウジングを有する照明装置であって、ランプハウジングに開口部を形成し、開口部に係合するハウジング係合体を形成し、ハウジング係合体に壁部を一体的に設け、基板にランプ点灯用回路部及び入出力用のコネクタ部を実装してこれら基板も含めてランプ点灯用回路部及びコネクタ部の外周部が壁部にて囲繞されるように壁部内に挿入され、基板にケース底面材を嵌め、壁部の上端部にケース上面材を被せ、ケース上面材に形成した開口に出力コネクタを突出させて点灯用ブロックを構成し、ランプハウジングの開口部にハウジング係合体を係合して点灯用ブロックをランプハウジングに取外し自在に取付けているから、点灯用ブロックのハウジング係合体をランプハウジングの開口部に係合することで、ランプハウジングと点灯用ブロックとを有機的に結合して、点灯用ブロックの取付けが容易にかつ確実におこなうことができ、又、ハウジング係合体をランプハウジングの開口部から外すことで、点灯用ブロックを容易に外すことができ、点灯用ブロックにおけるランプ点灯用回路部の回路部品等の交換を容易におこなうことができ、更に、点灯用ブロックを外したランプハウジングの開口部より放電ランプの取り替えも可能となる等という利点がある。
【００２８】
更に、請求項１においては、ランプ点灯用回路部を壁部にて覆うことで、ランプ点灯用回路部を覆って保護するとともに、必要に応じて、壁部の材質の選定にて放射ノイズのシールド機能を付与することができ、更に、ハウジング係合体に壁部を一体化させていることで、一層、組立て性を高めることができ、特に、ハウジング係合体側に点灯用ブロックを覆う壁部を一体的に設けていることから、壁部にてランプ点灯用回路部を覆うのであり、例えば、ランプ点灯用回路部をランプハウジングの外側に取付けることができ、ランプ点灯用回路部の回路部品等の交換が、一層、容易になるという利点がある。
【図面の簡単な説明】
【図１】  本発明の実施の一形態の概略断面図である。
【図２】  同上のブロック図である。
【図３】  同上の分解斜視図である。
【図４】  同上の参考例の分解斜視図である。
【図５】  （ａ）（ｂ）は同上の他の参考例の斜視図である。
【図６】  同上の他の実施の形態の分解斜視図である。
【図７】  同上の更に他の実施の形態の分解斜視図である。
【図８】  従来例の断面図である。
【符号の説明】
１  放電ランプ
２  レンズ
３  ランプハウジング
４  開口部
５  ランプ点灯用回路部
６  コネクタ
７  ハウジング係合体
８  点灯用ブロック
【図１】
0003829570.tif 000002
【図２】
0003829570.tif 000003
【図３】
0003829570.tif 000004
【図４】
0003829570.tif 000005
【図５】
0003829570.tif 000006
【図６】
0003829570.tif 000007
【図７】
0003829570.tif 000008
【図８】
0003829570.tif 000009